(57)【要約】      （修正有）【課題】患部に対して温めながら刺激を与えることを可能とする健康器具を提供する。【解決手段】梅干しの種を用いた健康器具１０は、複数の梅干しの種１２と、複数の梅干しの種を開口部から内部に入れて開口部を閉じた状態で複数の梅干しの種を収納する布製収納袋部１４とを備え、布製収納袋部は、複数の梅干しの種の一部を収納する第１収納部１６と、第１収納部から所定の距離をおいて設けられ、複数の梅干しの種の残りを収納する第２収納部１８と、第１収納部と第２収納部とを連結するように延伸し、延伸方向に対して垂直な方向の断面積が第１収納部と第２収納部に比べて小さい連結部２０とを有し、延伸方向の連結部の長さは、３ｃｍ〜５ｃｍである。【選択図】図１
2020074820.tif 000002
【特許請求の範囲】
【請求項１】
複数の梅干しの種と、
前記複数の梅干しの種を開口部から内部に入れて前記開口部を閉じた状態で前記複数の梅干しの種を収納する布製収納袋部と、
を備えること特徴とする梅干しの種を用いた健康器具。
【請求項２】
請求項１に記載の梅干しの種を用いた健康器具において、
前記複数の梅干しの種は、高温で炭化された梅干しの種であることを特徴とする梅干しの種を用いた健康器具。
【請求項３】
請求項１または請求項２に記載の梅干しの種を用いた健康器具において、
前記布製収納袋部は、
前記複数の梅干しの種の一部を収納する第１収納部と、
前記第１収納部から所定の距離をおいて設けられ、前記複数の梅干しの種の残りを収納する第２収納部と、
前記第１収納部と前記第２収納部とを連結するように延伸し、該延伸方向に対して垂直な方向の断面積が前記第１収納部と前記第２収納部に比べて小さい連結部と、
を有し、
前記延伸方向の前記連結部の長さは、３ｃｍ〜５ｃｍであることを特徴とする梅干しの種を用いた健康器具。
【発明の詳細な説明】
【技術分野】
【０００１】
本発明は、梅干しの種を用いた健康器具に関する。
【背景技術】
【０００２】
従来、小豆などを収納した袋を電子レンジなどで温めた状態で肩に乗せて、癒し効果や肩凝りの緩和を目的として使用される商品が開発されている。
【０００３】
本発明に関連する技術として、例えば、特許文献１には、筒形の容器の先端を細く絞り、その先端を球面にし、後部に容器内に液体を注入し排出する穴とネジを設け、この容器内にお湯を入れて容器を熱し、容器の先端の球面を、体の温熱に効果のある部分に押し当てて、低温お灸の効果を上げ、冷水を入れて使ったり、指圧にも利用できる指圧器具が開示されている。
【先行技術文献】
【特許文献】
【０００４】
【特許文献１】特開２００５−２７９２０４号公報
【発明の概要】
【発明が解決しようとする課題】
【０００５】
上記のように、小豆などを収納した袋を温めて肩に乗せることで癒しの効果やある程度肩凝りが解消することは期待されるものの患部に対して圧力を加えるなどができないため、患部を温めながら圧刺激を加えることが可能とする健康器具の開発が望まれている。
【０００６】
本発明の目的は、患部に対して温めながら圧刺激を与えることを可能とする健康器具を提供することである。
【課題を解決するための手段】
【０００７】
本発明に係る梅干しの種を用いた健康器具は、複数の梅干しの種と、前記複数の梅干しの種を開口部から内部に入れて前記開口部を閉じた状態で前記複数の梅干しの種を収納する布製収納袋部と、を備えること特徴とする。
【０００８】
また、本発明に係る梅干しの種を用いた健康器具において、前記複数の梅干しの種は、高温で炭化された梅干しの種であることが好ましい。
【０００９】
また、本発明に係る梅干しの種を用いた健康器具において、前記布製収納袋部は、前記複数の梅干しの種の一部を収納する第１収納部と、前記第１収納部から所定の距離をおいて設けられ、前記複数の梅干しの種の残りを収納する第２収納部と、前記第１収納部と前記第２収納部とを連結するように延伸し、該延伸方向に対して垂直な方向の断面積が前記第１収納部と前記第２収納部に比べて小さい連結部と、を有し、前記延伸方向の前記連結部の長さは、３ｃｍ〜５ｃｍであることが好ましい。
【発明の効果】
【００１０】
本発明によれば、患部に対して温めながら圧刺激を与えることが出来る。
【図面の簡単な説明】
【００１１】
【図１】本発明に係る実施形態の梅干しの種を用いた健康器具を示す図である。
【図２】本発明に係る実施形態の梅干しの種を用いた健康器具の変形例を示す図である。
【図３】本発明に係る実施形態の梅干しの種を用いた健康器具を温めた場合の時間的な温度変化に関する測定データである。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、梅干しの種を用いた健康器具１０を示す図である。図２は、梅干しの種を用いた健康器具１０の変形例である健康器具１０ａを示す図である。図３は、梅干しの種を用いた健康器具１０，１０ａを温めた場合の時間的な温度変化に関する測定データである。
【００１４】
梅干しの種を用いた健康器具１０は、複数の梅干しの種１２と、布製収納袋部１４とを備えている。梅干しの種を用いた健康器具１０は、電子レンジで所定時間温め、人体を温めるとともに圧力を加える患部に刺激を与えるための器具である。
【００１５】
梅干しの種１２は、梅肉がそぎ落とされて種が乾燥された種（生種）であるものとして説明するが、所定の温度（７００℃〜８００℃）で炭化された種（炭種）であってもよい。
【００１６】
布製収納袋部１４は、第１収納部１６と、第２収納部１８と、連結部２０とを備えたキャンディ状の袋部材である。
【００１７】
第１収納部１６は、楕円の長軸を中心に回転して得られる回転楕円体である略長球の形状を有している。その大きさは、一般的な成人男性の副腎を刺激するのに適した幅・大きさに設定されていることが好ましい。
【００１８】
第１収納部１６の長手方向の一方側端部には袋の開口部２２が設けられており、この開口部２２から複数の梅干しの種１２が内部に充填された状態で電子レンジの熱にも強い綿１００％の紐を用いた閉塞具２３を用いて閉じられる。第１収納部１６には、閉塞具２３付近の上方及び下方に伸びた帯部２６が設けられている。
【００１９】
第２収納部１８は、楕円の長軸を中心に回転して得られる回転楕円体である略長球の形状を有している。その大きさは、一般的な成人男性の副腎を刺激するのに適した幅・大きさに設定されていることが好ましい。
【００２０】
第２収納部１８の長手方向の一方側端部には袋の開口部２４が設けられており、この開口部２４から複数の梅干しの種１２が内部に充填された状態で電子レンジの熱にも強い綿１００％の紐を用いた閉塞具２９を用いて閉じられる。第２収納部１８には、閉塞具２９の上方及び下方に伸びた帯部２８が設けられている。
【００２１】
なお、第1収納部１６及び第２収納部１８の形・大きさは、人体の各所を圧刺激するのに適した形状であり、特に現代人が最も疲弊している「副腎」への刺激に有効な形状であることが好ましい。
【００２２】
複数の梅干しの種１２のうち半分が第１収納部１６に収納され、残りの半分が第２収納部１８に収納されている。連結部２０は、第１収納部１６の他方側端部と第２収納部１８の他方側端部とを連結部分２１において連結するように延伸している。
【００２３】
連結部２０は、延伸方向に対して垂直な方向の断面積が第１収納部１６と第２収納部１８に比べて小さい。また、連結部２０の延伸方向の長さは、３ｃｍ〜５ｃｍである。
【００２４】
続いて、上記構成の梅干しの種を用いた健康器具１０の作用について説明する。最初に、梅干しの種を用いて健康器具１０を電子レンジにより５００Ｗ〜６００Ｗで２分〜２分３０秒温める。
【００２５】
梅干しの種を用いた健康器具１０に収納される梅の種１２は、内部に空洞が形成されており、小さな種が収容されている。電子レンジによって温められると、温められた空気が上記空洞にて閉じ込められて保温されるため、保温時間を長くすることが出来るという利点がある。
【００２６】
また、梅干しの種１２の表面には無数の凹凸（切り込みのような皺）があるため、第１収納部１６及び第２収納部１８に収納される複数の種１２同士が擦れ合って結集力（高い摩擦抵抗）が生まれる。なお、この結集力は非常に大きな特徴であり、例えば、小豆などの種やお米などを使った物では、表面がツルツルしているため、圧力を与えた際に球形の形を保持できない、すなわち、圧刺激ができない。しかしながら、梅干しの種１２を用いることで上記のように結集力が生じるため圧刺激を与えることができる。
【００２７】
このように、電子レンジで温められた梅干しの種を用いた健康器具１０を例えば布団の上に配置してユーザが仰向けなり、第１収納部１６及び第２収納部１８が腎臓の位置に対応する部分に配置されるように寝転ぶことで、自重によってユーザの背中が梅干しの種１２に押圧されて刺激を受けることができるという顕著な効果を奏する。
【００２８】
近年、現代人は緊張（ストレス）により呼吸が浅い傾向にあり、細胞でのエネルギー生産が上手くできず、食生活の偏り、運動不足などが原因で体の冷えに悩まされている人が多い。また、上記ストレスなどが腎臓の上部である副腎の疲労にも繋がっている。
【００２９】
梅干しの種を用いた健康器具１０によれば、上記のように、副腎に対応する背中の部位を温めるとともに力を与えて刺激を与えることができるため、副腎の疲れを取り除くことができるという顕著な効果を奏する。
【００３０】
次に、梅干しの種を用いた健康器具１０の変形例である梅干しの種を用いた健康器具１０ａについて説明する。梅干しの種を用いた健康器具１０ａは、複数の梅干しの種１２ａと、布製収納袋部１４ａとを備えている。梅干しの種を用いた健康器具１０ａは、梅干しの種を用いた健康器具１０と同様に、電子レンジで所定時間温め、人体を温めるとともに圧力を加える患部に刺激を与えるための器具である。
【００３１】
梅干しの種１２ａは、梅肉がそぎ落とされて種が乾燥されて、所定の温度（７００℃〜８００℃）で炭化された種（炭種）であるものとして説明するが、梅干しの種を用いた健康器具１０の際に説明した種（生種）であってもよい。なお、炭化した種は、人体を温める際に遠赤外線効果も併せて生じるため、より一層人体を温めるのに適している。
【００３２】
布製収納袋部１４ａは、梅干しの種を用いた健康器具１０のように第１収納部１６及び第２収納部１８などに分かれておらず、筒状(ポール状)の１つの収納部である。布製収納袋部１４ａの長手方向の長さは、一般的な成人男性の腰幅よりも若干大きい程度に設定されていることが好ましい。
【００３３】
布製収納袋部１４ａは、長手方向の一方側端部には袋の開口部２２ａが設けられており、この開口部２２ａから複数の梅干しの種１２ａが内部に充填された状態で電子レンジの熱にも強い綿１００％の紐を用いた閉塞具２３ａを用いて閉じられる。
【００３４】
続いて、上記構成の梅干しの種を用いた健康器具１０ａの作用について説明する。最初に、梅干しの種を用いて健康器具１０を電子レンジにより５００Ｗ〜６００Ｗで２分〜２分３０秒温める。
【００３５】
このように、電子レンジで温められた梅干しの種を用いた健康器具１０ａを例えば布団の上に配置してユーザが仰向けなり、副腎の位置に対応する背中の部位を跨るように配置して寝転ぶことで、自重によってユーザの背中が梅干しの種１２ａに押圧されて刺激を受けることができため、梅干しの種を用いた健康器具１０と同様の効果を奏する。
【００３６】
次に、梅干しの種を用いた健康器具１０，１０ａの保温効果が優れている点について図３の測定データを用いながら説明する。室温２６℃の状態で、良品計画製の電子レンジ５００で温めた後に、食品用放射温度計（ＳＫ−８９２０、ＳＡＴＯ）を用いて、測定物から１０ｃｍの箇所で放射温度を測定した。
【００３７】
始めは、梅干しの種１２，１２ａが冷えているので、最初に、同じ条件で１分３０秒温めて、その後、５分間放置した後に測定を開始する。
【００３８】
梅干しの種を用いた健康器具１０，１０ａを同じ条件で３分加熱し、梅干しの種を用いた健康器具１０，１０ａの上に日本手ぬぐいをかぶせた状態で保存する。測定時は、日本手ぬぐいを外して特定する。
【００３９】
測定対象物は、梅干しの種を用いた健康器具１０のキャンディ形状で生種と炭種を収容した２種類（以下では、生種キャンディと炭種キャンディという）と、梅干しの種を用いた健康器具１０ａのポール形状（円筒形状）で生種と炭種を収容した２種類（以下では、生種ポールと炭種ポールという）の合計４種類である。
【００４０】
生種ポールの載置する台の表面温度は、２５．５℃であり、生種ポールの重量は、７５．１グラムである。上記のように加熱した直後は、生種ポールの左端は６２℃、中心は５８．３℃、右端は６４．５℃である。
【００４１】
１５分後は、左端が４６．３℃であり、中心が４５．３℃であり、右端が４７．９℃である。３０分、６０分、９０分、１２０分は図３に示されるように変化しているが、保温力が高いことが分かる。
【００４２】
炭種ポールの載置する台の表面温度は、２５．３℃であり、炭種ポールの重量は、７５．０グラムである。上記のように加熱した直後は、炭種ポールの左端は７０．２℃、中心は６１．３℃、右端は６２．７℃である。
【００４３】
１５分後は、左端が４５．８℃であり、中心が４７．０℃であり、右端が４４．６℃である。３０分、６０分、９０分、１２０分は図３に示されるように変化しているが、保温力が高いことが分かる。
【００４４】
生種キャンディの載置する台の表面温度は、２４．８℃であり、生種キャンディの重量は、６６．６グラムである。上記のように加熱した直後は、生種キャンディの左（第１収納部１６）は５６．８℃、右（第２収納部１８）は７８．６℃である。
【００４５】
１５分後は、左が４３．２℃であり、右が５１．２℃である。３０分、６０分、９０分、１２０分は図３に示されるように変化しているが、保温力が高いことが分かる。
【００４６】
炭種キャンディの載置する台の表面温度は、２５．０℃であり、炭種キャンディの重量は、６６．５グラムである。上記のように加熱した直後は、炭種キャンディの左（第１収納部１６）は６４．４℃、右（第２収納部１８）は６７．３℃である。
【００４７】
１５分後は、左が４７．８℃であり、右が４６．４℃である。３０分、６０分、９０分、１２０分は図３に示されるように変化しているが、保温力が高いことが分かる。
【００４８】
また、生種キャンディと炭種キャンディを人体に適用した結果の被験者の感想が得られたので記載する。実験方法として、２種のキャンディを電子レンジで１分３０秒温める。その後、２種のキャンディをそれぞれ２分３０秒電子レンジで温める。
【００４９】
被験者は８名で検査方法として、被験者には何も伝えずに「２種類の温める器具の差を教えてください」と伝えた。最初に炭種キャンディを５分使用（1回目）し、その後、生種キャンディを５分使用（２回目）し、その後、炭種キャンディを５分使用（３回目）し、生種キャンディを５分使用（４回目）し、８名の被験者の感想を以下に記載する。
【００５０】
Ａさん（６０代女性）は、「２種のうち、２回目のものは（生種）皮膚が熱く感じ「アツ、アツ」って感じで場所を変えた感じ。それに対し、１回目と３回目（炭種）は、熱いけど優しい暑さというか、場所を変えないで、じっとしていたいと感じた」という感想を述べた。
【００５１】
Ｂさん（５０代女性）は、「２回目（生種）もいいですが、１回目と３回目のものは器具の温度が下がってきているのに体内は温かい、何かわからないけど全然違うと感じました」という感想を述べた。
【００５２】
Ｃさん（５０代男性）は、「私は肥満の割には体が冷えているのか、２回目（生種）の熱さがよかった。１回目と３回目（炭種）もいいですが、わたしはどちらでもいいと思いました」という感想を述べた。
【００５３】
Ｄさん（４０代女性）は、「断然１回目と３回目（炭種）が心地よく深部にきます。何が違うか分からないですが、感じ方は全然違うと思います」という感想を述べた。
【００５４】
Ｅさん（５０代男性）は、「２回目（生種）のは、表面が熱く感じ、皮膚が熱いと感じ、タオルか何かで巻き付けて使用したらちょうどいいのではと感じました。３回目（炭種）のは器具の上で落ち着いていられるような優しい感じがしました。しかし、比較しない場合は、２回目・４回目（生種）でも、とても気持ちがいいと感じました。」という感想を述べた。
【００５５】
Ｆさん（１０代女性）は、「両方とも温めることが出来るもので押せるというのでとても満足ですぐに購入したい。どちらかというと、１回目・３回目（炭種）のタイプの方が優しい感じがしました」という感想を述べた。
【００５６】
Ｈさん（４０代女性）は、「両方ともとても気持ちがいいです。どっちでもすぐに購入したいです。どちらかというと、３回目（炭種）の方が、温度が下がっているのに体内が温かく感じたように思います。温かくて押せるのはすごいですね」という感想を述べた。
【００５７】
以上のように、梅干しの種は生種であっても炭種であっても保温効果が高いが炭種は遠赤外線効果によりさらに保温効果が高まっている。このように、梅干しの種を用いた健康器具１０，１０ａを用いることで、ユーザの腎臓(特に副腎)を温めつつ、刺激を与えることで、副腎の疲れを取り除くことが出来るという顕著な効果を奏する。
【符号の説明】
【００５８】
１０，１０ａ  梅干しの種を用いた健康器具、１２，１２ａ  梅干しの種、１４，１４ａ  布製収納袋部，１６  第１収納部，１８  第２収納部，２０  連結部，２２，２２ａ，２４  開口部、２３，２３ａ，２９  閉塞具、２６，２８  帯部。
【図１】
2020074820.tif 000003
【図２】
2020074820.tif 000004
【図３】
2020074820.tif 000005
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
複数の梅干しの種と、
前記複数の梅干しの種を開口部から内部に入れて前記開口部を閉じた状態で前記複数の梅干しの種を収納する布製収納袋部と、
を備え、電子レンジで加熱することで温められた前記複数の梅干しの種を用いて患部を温めながら刺激を与える健康器具であって、
前記布製収納袋部は、
前記複数の梅干しの種の一部を収納し、副腎を刺激するのに適した形状および大きさに設定された第１収納部と、
前記第１収納部から所定の距離をおいて設けられ、前記複数の梅干しの種の残りを収納し、副腎を刺激するのに適した形状および大きさに設定された第２収納部と、
前記第１収納部と前記第２収納部がそれぞれ副腎に刺激を与える位置となるように前記第１収納部と前記第２収納部とを連結するように延伸し、該延伸方向に対して垂直な方向の断面積が前記第１収納部と前記第２収納部に比べて小さい連結部と、
を有し、
前記延伸方向の前記連結部の長さは、３ｃｍ〜５ｃｍであることを特徴とする梅干しの種を用いた健康器具。
【請求項２】
請求項１に記載の梅干しの種を用いた健康器具において、
前記複数の梅干しの種は、高温で炭化された梅干しの種であることを特徴とする梅干しの種を用いた健康器具。
【手続補正２】
【補正対象書類名】明細書
【補正対象項目名】０００７
【補正方法】変更
【補正の内容】
【０００７】
本発明に係る梅干しの種を用いた健康器具は、複数の梅干しの種と、前記複数の梅干しの種を開口部から内部に入れて前記開口部を閉じた状態で前記複数の梅干しの種を収納する布製収納袋部と、を備え、電子レンジで加熱することで温められた前記複数の梅干しの種を用いて患部を温めながら刺激を与える健康器具であって、前記布製収納袋部は、前記複数の梅干しの種の一部を収納し、副腎を刺激するのに適した形状および大きさに設定された第１収納部と、前記第１収納部から所定の距離をおいて設けられ、前記複数の梅干しの種の残りを収納し、副腎を刺激するのに適した形状および大きさに設定された第２収納部と、前記第１収納部と前記第２収納部がそれぞれ副腎に刺激を与える位置となるように前記第１収納部と前記第２収納部とを連結するように延伸し、該延伸方向に対して垂直な方向の断面積が前記第１収納部と前記第２収納部に比べて小さい連結部と、を有し、前記延伸方向の前記連結部の長さは、３ｃｍ〜５ｃｍであることを特徴とする。
【手続補正３】
【補正対象書類名】明細書
【補正対象項目名】０００９
【補正方法】削除
【補正の内容】
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
複数の梅干しの種と、
前記複数の梅干しの種を開口部から内部に入れて前記開口部を閉じた状態で前記複数の梅干しの種を収納する布製収納袋部と、
を備え、電子レンジで加熱することで温められた前記複数の梅干しの種を用いてユーザの自重を利用して患部を温めながら圧力を与える、梅干しの種を用いて自重を利用した圧力健康器具であって、
前記布製収納袋部は、
前記複数の梅干しの種の一部を隣接する梅干しの種が擦れ合った際に高い摩擦力が生じるように充填した状態で収納し、副腎を刺激するのに適した形状および大きさに設定された第１収納部と、
前記第１収納部から所定の距離をおいて設けられ、前記複数の梅干しの種の残りを隣接する梅干しの種が擦れ合った際に高い摩擦力が生じるように充填した状態で収納し、副腎を刺激するのに適した形状および大きさに設定された第２収納部と、
前記第１収納部と前記第２収納部がそれぞれ副腎に刺激を与える位置となるように前記第１収納部と前記第２収納部とを連結するように延伸し、該延伸方向に対して垂直な方向の断面積が前記第１収納部と前記第２収納部に比べて小さい連結部と、
を有し、
前記ユーザが仰向けなって腎臓の位置に対応する部分に配置されるように寝転んだ際に自重によって第１収納部及び第２収納部が前記ユーザの腎臓の上部である副腎に対応する部位を押圧して適切に刺激するように前記延伸方向の前記連結部の長さが３ｃｍ〜５ｃｍに設定されていることを特徴とする梅干しの種を用いて自重を利用した圧力健康器具。
【請求項２】
請求項１に記載の梅干しの種を用いて自重を利用した圧力健康器具において、
前記複数の梅干しの種は、７００℃〜８００℃の高温で炭化された梅干しの種であることを特徴とする梅干しの種を用いて自重を利用した圧力健康器具。
【手続補正２】
【補正対象書類名】明細書
【補正対象項目名】０００７
【補正方法】変更
【補正の内容】
【０００７】
本発明に係る梅干しの種を用いた健康器具は、複数の梅干しの種と、前記複数の梅干しの種を開口部から内部に入れて前記開口部を閉じた状態で前記複数の梅干しの種を収納する布製収納袋部と、を備え、電子レンジで加熱することで温められた前記複数の梅干しの種を用いてユーザの自重を利用して患部を温めながら圧力を与える、梅干しの種を用いて自重を利用した圧力健康器具であって、前記布製収納袋部は、前記複数の梅干しの種の一部を隣接する梅干しの種が擦れ合った際に高い摩擦力が生じるように充填した状態で収納し、副腎を刺激するのに適した形状および大きさに設定された第１収納部と、前記第１収納部から所定の距離をおいて設けられ、前記複数の梅干しの種の残りを隣接する梅干しの種が擦れ合った際に高い摩擦力が生じるように充填した状態で収納し、副腎を刺激するのに適した形状および大きさに設定された第２収納部と、前記第１収納部と前記第２収納部がそれぞれ副腎に刺激を与える位置となるように前記第１収納部と前記第２収納部とを連結するように延伸し、該延伸方向に対して垂直な方向の断面積が前記第１収納部と前記第２収納部に比べて小さい連結部と、を有し、前記ユーザが仰向けなって腎臓の位置に対応する部分に配置されるように寝転んだ際に自重によって第１収納部及び第２収納部が前記ユーザの腎臓の一部である副腎を押圧して適切に刺激するように前記延伸方向の前記連結部の長さが３ｃｍ〜５ｃｍに設定されていることを特徴とする。
【手続補正３】
【補正対象書類名】明細書
【補正対象項目名】０００８
【補正方法】変更
【補正の内容】
【０００８】
また、本発明に係る梅干しの種を用いて自重を利用した圧力健康器具において、前記複数の梅干しの種は、７００℃〜８００℃の高温で炭化された梅干しの種であることが好ましい。